(57)【要約】      （修正有）【課題】自転式ブラシ構造を提供する。【解決手段】自転式ブラシ構造はハンドル１を有する。ハンドル１の内縁にはプッシュバー２を組み付ける。ハンドル１内壁面には収容設置空間を形成し、収容設置空間にはスクリュー３及び受動ボルト４を設置する。スクリュー３頂端にはワッシャー３１を設置する。スクリュー３側縁にはネジヤマ部３２を設置し、スクリュー３には少なくとも１個の歯部３３を設置する。受動ボルト４には噛み合い部材４２を設置し、ブラシバー５を組み付ける。しかも、プッシュバー２の内側壁には少なくとも１個のネジヤマ部材２２を設置する。これにより使用者は底台２３に力を加えることで、ブラシバー５及び棒体５３を回転させこれを繰り返すことで、ブラシ毛の持続回転を連動し、省力効果を達成でき、容器洗浄の効率を効果的に高められる。調整パーツ６を押すことで、ブラシバー５の長さを調整して定位でき、收納の利便性を向上させられる。【選択図】図３
0003205402.tif 000002
【実用新案登録請求の範囲】
【請求項１】
自転式ブラシ構造であって、ハンドルを有し、
前記ハンドルの内縁には、プッシュバーを組み付け、前記ハンドル底部と前記プッシュバーの内壁面との間には、収容設置空間を形成し、
前記収容設置空間には、前記プッシュバーから前記ハンドル方向へと、順番にスクリュー及び受動ボルトを設置し、しかも前記スクリュー頂端には、ワッシャーを設置し、
前記スクリュー側縁には、ネジヤマ部を設置し、しかも前記スクリューは、ワッシャー一端に相対して、少なくとも１個の歯部を設置し、
前記受動ボルトは、前記ハンドルを貫通して枢設され、しかも前記受動ボルトは、スクリュー一端に、前記歯部に対応する噛み合い部材を設置し、
前記受動ボルトは、前記噛み合い部材一端に相対し、ブラシバーを組み付け、これにより前記受動ボルトは、前記ブラシバーの回転を連動し、
しかも、前記プッシュバーの内部の側壁には、前記ネジヤマ部に対応する少なくとも１個のネジヤマ部材を設置することを特徴とする自転式ブラシ構造。
【請求項２】
前記プッシュバーは、底台及び軸管をさらに有し、
前記底台には、凸ブロックをさらに設置し、しかも前記凸ブロックは、前記プッシュバーの底台及び前記ワッシャーにそれぞれ接触し、しかも前記ネジヤマ部材は、前記軸管内部の側壁に設置され、
前記ハンドル底端には、蓋体及び底蓋をさらに設置し、しかも前記ハンドルには、径方向に、延伸部がさらに成形され、前記延伸部内部には、前記蓋体及び前記底蓋を組み付け、前記蓋体及び前記底蓋は、前記受動ボルト一端に嵌めて接続されることを特徴とする請求項１に記載の自転式ブラシ構造。
【請求項３】
前記受動ボルトは、前記スクリューに同軸で貫通し、しかも前記受動ボルトは、前記ワッシャー一端において、定位部材をさらに同軸で固定して設置し、
前記定位部材は、前記スクリュー及び前記ワッシャーの位置を限定することを特徴とする請求項１に記載の自転式ブラシ構造。
【請求項４】
前記受動ボルトは、前記ブラシバー一端に、延伸セクションをさらに突出して形成し、
前記延伸セクション側壁には、嵌着部を形成し、前記ブラシバー側縁には、前記嵌着部に対応する組み接続部を有し、
前記受動ボルトは、前記嵌着部により、前記組み接続部に嵌着され、前記ブラシバーに組み付けられることを特徴とする請求項１に記載の自転式ブラシ構造。
【請求項５】
前記底台内には、前記ワッシャー位置に対応し、固定部材をさらに設置し、
前記固定部材と前記ワッシャーとの間には、弾性部材を設置し、前記弾性部材の二端は、前記ワッシャー及び前記底台にそれぞれ接触することを特徴とする請求項２に記載の自転式ブラシ構造。
【請求項６】
前記ワッシャーは、前記弾性部材一端に相対し、弾性体をさらに設置し、
前記弾性体の二端は、前記ワッシャー及び前記スクリューにそれぞれ接触することを特徴とする請求項５に記載の自転式ブラシ構造。
【請求項７】
前記ブラシバーは、前記プッシュバー一端に相対し、前記受動ボルトに組み付けられて連動され、
前記ブラシバーには、複数の定位孔を設置し、しかも前記ブラシバーには、棒体を枢設し、前記ブラシバーと前記棒体との間は、調整パーツにより相互に連接され、
前記調整パーツには、定位パーツをさらに設置し、前記定位パーツの一方向の側壁面は、斜面を呈して設置され、
前記定位孔の、前記定位パーツの斜面設置を呈する側壁面に対応する位置は、斜切面を呈し、しかも前記ブラシバーは、前記棒体片側に相対し、組み接続部を設置し、
前記ブラシバーの外壁面、前記棒体の外部と前記棒体は、前記調整パーツ片側に相対し、複数のブラシ毛を設置することを特徴とする請求項１乃至６の任意の一項に記載の自転式ブラシ構造。
【請求項８】
前記棒体は、第一棒部及び第二棒部をさらに有し、
前記第二棒部は、前記調整パーツに対応し、貫通部を貫通し、しかも前記第一棒部には、前記貫通部に対応し、接触部を設置し、
前記調整パーツは、前記貫通部に組み付けられ、しかも前記接触部に接触し、
前記第二棒部は、前記貫通部の周縁に対応し、凸部材を設置し、前記凸部材は、前記第一棒部に接触し、
前記第二棒部は、前記貫通部一端に相対し、連接部材を設置し、前記第一棒部は、前記連接部材に対応し、連接部を設置し、
しかも、前記第一棒部の外壁面には、前記凸部材に対応し、固定パーツを設置し、
前記定位パーツは、やや直角台形を呈し、前記定位孔の形状は、前記定位パーツの外型とほぼ相同であることを特徴とする請求項７に記載の自転式ブラシ構造。
【請求項９】
前記定位パーツの、斜面設置を呈する側壁面に対応する片側は、直線設置を呈し、
これにより、前記定位パーツは、直線設置を呈する側壁片側において、係合固定状態を呈し、前記定位パーツの斜面設置を呈する側壁面により、前記定位パーツは、前記定位孔において、一方向へと移動することを特徴とする請求項７に記載の自転式ブラシ構造。
【請求項１０】
前記調整パーツは、係止部材をさらに有し、前記係止部材片側は、前記第二棒部に突出して設置し、前記係止部材は、前記第一棒部一端に対応し、定位槽を設置し、前記定位槽には、弾性パーツを設置し、
前記係止部材は、前記定位槽一端に対応し、定位パーツを設置し、前記定位パーツは、前記定位孔に対応して組み付けられ、
前記係止部材が前記第一棒部へと移動すると、前記弾性パーツは、弾性移動を生じ、前記定位パーツは、定位孔から離脱し、これにより前記棒体は、ブラシバー間で、移動を行い、
前記ブラシバーの中心には、収容設置部を形成することを特徴とする請求項８に記載の自転式ブラシ構造。
【考案の詳細な説明】
【技術分野】
【０００１】
本考案は自転式ブラシ構造に関し、特にプッシュバーを押すことでブラシバーを回転させ、容器をブラシ洗浄する自転式ブラシ構造に関する。
【背景技術】
【０００２】
容器は、物品、液体或いは気体を入れたり包装したりするための重要な器具である。容器の使用後には、ブラシ洗浄して汚れを落とし、続く繰り返し使用に備えなければならない。
【０００３】
従来のブラシはハンドルの末端にブラシ毛が設置されている。そのため通常、ブラシを使用し容器を洗浄する際には、使用者はそれを握り、ブラシ毛を利用して容器の汚れを取り除く。
【０００４】
しかし、ブラシ洗浄の過程では、使用者の手は絶えず力を入れ続けなければならないため、手がだるくなってしまう。さらに、深い容器を洗浄する際には、皮膚が擦れて表皮が傷つき、或いは水泡ができてしまうこともある。
【考案の概要】
【考案が解決しようとする課題】
【０００５】
前記先行技術には、使用者がブラシ洗浄する際に様々な不便が存在するという欠点がある。
【課題を解決するための手段】
【０００６】
本考案は自転式ブラシ構造に関する。
【０００７】
本考案による自転式ブラシ構造は、ハンドルを有する。
該ハンドルの内縁には、プッシュバーを組み付ける。
該ハンドル底部と該プッシュバーの内壁面との間には、収容設置空間を形成する。
該収容設置空間には、該プッシュバーから該ハンドル方向へと、順番にスクリュー及び受動ボルトを設置する。
しかも、該スクリュー頂端には、ワッシャーを設置する。
該スクリュー側縁には、ネジヤマ部を設置し、しかも該スクリューは、ワッシャー一端に相対して、少なくとも１個の歯部を設置する。
該受動ボルトは、該ハンドルを貫通して枢設され、しかも該受動ボルトは、該スクリュー一端に、該歯部に対応する噛み合い部材を設置する。
該受動ボルトは、該噛み合い部材一端に相対し、ブラシバーを組み付け、これにより該受動ボルトは、該ブラシバーの回転を連動する。
しかも、該プッシュバーの内部の側壁には、該ネジヤマ部に対応する少なくとも１個のネジヤマ部材を設置する。
【考案の効果】
【０００８】
本考案は、以下の効果を備える。
１.使用者が底台に下向きの力を加えることで、受動ボルトはブラシバー及び棒体の回転を連動し、延伸部は容器内の液体の噴出を防止でき、容器洗浄の適用性を達成する。
２.定位パーツ側壁面は斜面設置を呈するため、定位パーツの側壁面に対応する位置は係合固定状態を呈し、側壁面は定位パーツを定位孔において一方向へと移動させ、こうして使用者の容器洗浄に有利となる。
３.使用者が棒体を短くする際には係止部材を押せば、棒体はハンドル方向へと移動し、棒体の移動完了時に係止部材を離せば、定位パーツは速やかに別の定位孔に係合し、こうして定位棒体の長さを調整できる。
【図面の簡単な説明】
【０００９】
【図１】本考案の立体模式図である。
【図２】本考案と殼体の分解模式図である。
【図３】本考案第一実施形態の分解模式図である。
【図４】本考案第一実施形態によるプッシュバー未作動の断面模式図である。
【図５】本考案第一実施形態によるプッシュバー作動の断面模式図である。
【図６】本考案第一実施形態によるスクリューが下方へと移動し、及び歯部が噛み合い部材に噛み合う様子を示す断面模式図である。
【図７】本考案第一実施形態によるプッシュバーが下方へと作動し、ブラシバー及び棒体を回転させる様子を示す断面模式図である。
【図８】棒体が未作動の様子を示す断面模式図である。
【図９】棒体が伸長した様子を示す断面模式図である。
【図１０】係止部材を押し、定位棒体を調整する様子を示す断面模式図である。
【図１１】本考案にブラシ毛を取り付けた様子を示す模式図である。
【図１２】本考案を使用して容器を洗浄する様子を示す状態模式図である。
【図１３】本考案第二実施形態において底台を押す様子を示す断面模式図である。
【考案を実施するための形態】
【００１０】
［実施例］
図１〜図３に示す通り、本考案第一実施形態による自転式ブラシ構造は、ハンドル１、ブラシバー５、殼体８を有する。
【００１１】
ハンドル１の内縁には、プッシュバー２を組み付ける。
ハンドル１底部とプッシュバー２の内壁面との間には、収容設置空間２１を形成する。
収容設置空間２１には、プッシュバー２からハンドル１方向へと、順番にスクリュー３及び受動ボルト４を設置する。
しかも、スクリュー３頂端には、ワッシャー３１を設置する。
一実施形態中では、受動ボルト４は、スクリュー３に同軸で貫通し、しかも受動ボルト４は、ワッシャー３１一端において、定位部材４１をさらに同軸で固定して設置する。
定位部材４１は、スクリュー３及びワッシャー３１の位置を制限する。
スクリュー３側縁には、ネジヤマ部３２を設置し、しかもスクリュー３は、ワッシャー３１一端に相対して、少なくとも１個の歯部３３を設置する。
受動ボルト４は、ハンドル１を貫通して枢設され、しかも受動ボルト４は、スクリュー３一端に、歯部３３に対応する噛み合い部材４２を設置する。
しかも、プッシュバー２内側壁には、ネジヤマ部３２に対応する少なくとも１個のネジヤマ部材２２を設置する。
【００１２】
プッシュバー２は、底台２３及び軸管２４をさらに有する。
底台２３には、凸ブロック２３１をさらに設置し、しかも凸ブロック２３１は、プッシュバー２の底台２３及びワッシャー３１にそれぞれ接触する。
底台２３内には、ワッシャー３１位置に対応し、固定部材２３２をさらに設置し、しかもネジヤマ部材２２は、軸管２４内側壁に設置される。
一実施形態中では、ハンドル１底端には、蓋体２４１及び底蓋１１を設置し、しかもハンドル１には、径方向に、延伸部１２が成形される。
延伸部１２内部には、蓋体２４１及び底蓋１１を組み付け、しかも延伸部１２は、軟性材質により製造される。
蓋体２４１及び底蓋１１は、受動ボルト４一端に嵌めて接続される。
【００１３】
ブラシバー５は、プッシュバー２一端に相対し、受動ボルト４に組み付けられて連動される。
受動ボルト４は、ブラシバー５一端に、延伸セクション４３をさらに突出して形成する。
延伸セクション４３側壁には、嵌着部４３１を形成する。
ブラシバー５側縁には、嵌着部４３１に対応する組み接続部５１を有する。
受動ボルト４は、嵌着部４３１により、組み接続部５１に嵌着され、ブラシバー５に組み付けられる。
ブラシバー５には、複数の定位孔５２を設置し、しかもブラシバー５には、棒体５３を枢設する。
ブラシバー５と棒体５３との間は、調整パーツ６により相互に連接される。
一実施形態中では、棒体５３は、第一棒部５３ａ及び第二棒部５３ｂをさらに有する。
第二棒部５３ｂは、調整パーツ６に対応し、貫通部５３１を貫通する。
しかも、第一棒部５３ａには、貫通部５３１に対応し、接触部５３２を設置する。
調整パーツ６は、貫通部５３１に組み付けられ、しかも接触部５３２に接触する。
第二棒部５３ｂは、貫通部５３１の周縁に対応し、凸部材５３３を設置し、凸部材５３３は、第一棒部５３ａに接触する。
第二棒部５３ｂは、貫通部５３１一端に相対し、連接部材５３４を設置し、第二棒部５３ｂは、連接部材５３４に対応し、連接部５３５を設置する。
第二棒部５３ｂの外壁面には、凸部材５３３に対応し、固定パーツ５３６を設置する。
ブラシバー５の中心には、収容設置部５４を形成する。
一実施形態中では、ブラシバー５の外側壁には、槽孔５５を形成する。
【００１４】
調整パーツ６は、係止部材６１をさらに有する。
係止部材６１片側は、第二棒部５３ｂに突出して設置し、係止部材６１は、第一棒部５３ａ一端に対応し、定位槽６１１を設置する。
定位槽６１１には、弾性パーツ６２を設置する。
調整パーツ６には、定位パーツ６３をさらに設置する。
係止部材６１は、定位槽６１１一端に対応し、定位パーツ６３を設置する。
定位パーツ６３は、定位孔５２に対応して組み付けられる。
係止部材６１が第一棒部５３ａへと移動すると、弾性パーツ６２は、弾性移動を生じ、定位パーツ６３は、定位孔５２から離脱する。
これにより、棒体５３は、ブラシバー５間で、移動を行う。
【００１５】
定位パーツ６３の一方向の側壁面６３１は、斜面を呈して設置され、定位孔５２の、定位パーツ６３の斜面設置を呈する側壁面６３１に対応する位置は、斜切面を呈する。
一実施形態中では、定位パーツ６３の、斜面設置を呈する側壁面６３１に相対する片側は、直線設置を呈する。
これにより、定位パーツ６３の直線設置を呈する側壁面６３１片側は、係合固定状態を呈する。
よって、定位パーツ６３の斜面設置を呈する側壁面６３１により、定位パーツ６３は、定位孔５２において、一方向へと移動する。
別種の実施形態中では、定位パーツ６３は、やや直角台形を呈し、定位孔５２の形状は、定位パーツ６３の外型とほぼ相同で、しかもブラシバー５は、棒体５３片側に相対し、組み接続部５１を設置する。
ブラシバー５の外壁面、棒体５３の外部、棒体５３は、調整パーツ６片側に相対し、複数のブラシ毛７を設置する。
【００１６】
殼体８には、ブラシバー５及び棒体５３をセットし、しかも殼体８一端は、延伸部１２に接触する。
【００１７】
図１〜図４に示す通り、使用者は、棒体５３を、容器９内に置き、しかも延伸部１２を容器９瓶口に接触させる。
続いて、図５に示す通り、使用者が底台２３を握り、プッシュバー２と同軸で上向きの力を加えると、噛み合い部材４２により、歯部３３と噛み合う。
これにより、プッシュバー２内のネジヤマ部材２２は、ネジヤマ部３２を連動し、受動ボルト４を一緒に駆動する。
軸管２４がハンドル１内部頂端に接触すると、スクリュー３は、施力方向及びネジヤマ部材２２により、底台２３方向へと移動する。
さらに、図６に示す通り、スクリュー３は、重力及びネジヤマ部材２２により、噛み合い部材４２へと移動して噛み合う。
【００１８】
図７、図１１、図１２に示す通り、この時、軸管２４は、ハンドル１頂端位置にあり、しかも歯部３３は、噛み合い部材４２にかみ合っている。
よって、使用者が、底台２３において、プッシュバー２と同軸で下向きの力を加えると、固定部材２３２は定位部材４１に接触し、スクリュー３を押し、ネジヤマ部３２は、ネジヤマ部材２２に噛み合う。
よって、スクリュー３が作動すると、受動ボルト４は回転し、しかも延伸セクション４３には嵌着部４３１を設置し、嵌着部４３１は、組み接続部５１に組み付けられるため、受動ボルト４はブラシバー５及び棒体５３の回転を連動する。
また、延伸部１２は容器９瓶口に接触し、容器９内部を洗浄する際、容器９内の液体の噴出を回避でき、これにより容器９洗浄の適用性を達成できる。
【００１９】
また、図８及び図９に示す通り、側壁面６３１は斜面設置を呈するため、その外型は、直角台形を呈し、しかも定位孔５２は、定位パーツ６３の外型と、ほぼ相同である。
よって、棒体５３に力を入れると、棒体５３は、ブラシバー５と同軸方向へと伸長する。
この時、定位パーツ６３は、定位孔５２位置に対応して組み付けられるため、定位パーツ６３は、側壁面６３１位置に相対し、係合固定状態を呈し、側壁面６３１により、定位パーツ６３は定位孔５２において、一方向へと移動する。
こうして、使用者は便利に容器を洗浄できる。
【００２０】
図１０〜図１２に示す通り、棒体５３を短くする時には、係止部材６１を押せば、係止部材６１は棒体５３内部へと移動する。
この時、弾性パーツ６２片側は、係止部材６１に押され、弾性圧縮状態を呈し、定位パーツ６３は、定位孔５２から離脱する。
定位パーツ６３は、定位孔５２位置に未嵌着であるため、棒体５３は、ブラシバー５と同軸でハンドル１方向へと移動する。
棒体５３の移動が完了し、係止部材６１を放せば、弾性パーツ６２は係止部材６１の圧迫を受けず、弾性復位を呈する。
この時、定位パーツ６３は、別の定位孔５２に係合され、これにより定位棒体５３の長さを調整できる。
【００２１】
図１３に示す通り、本考案第二実施形態の第一実施形態との差異は、固定部材２３２とワッシャー３１との間に、弾性部材２５をさらに設置する点である。
弾性部材２５の二端は、ワッシャー３１及び底台２３にそれぞれ接触する。
この他、ワッシャー３１は、弾性部材２５一端に相対し、弾性体２６をさらに設置する。
弾性体２６の二端は、ワッシャー３１及びスクリュー３にそれぞれ接触する。
【００２２】
図１３に示す通り、使用者が底台２３を握り上向きに引き出すと、弾性部材２５は伸びた状態を呈する。
この時、スクリュー３は、重力及びネジヤマ部材２２におり、噛み合い部材４２へと移動し、歯部３３は噛み合い部材４２に接触する。
底台２３を下方へと押すと、弾性部材２５は伸びた状態から、弾性復位状態へと変化する。
この他、弾性体２６はワッシャー３１及びスクリュー３に接触するため、底台２３を押すと同時に、弾性体２６により、歯部３３を噛み合い部材４２に確実に噛み合わせることができる。
こうして、スクリュー３は受動ボルト４をスムーズに回転させられる。
本実施形態の他の実施方式は、第一実施形態と近似しているため、記載しない。
【符号の説明】
【００２３】
１  ハンドル
１１  底蓋
１２  延伸部
２  プッシュバー
２１  収容設置空間
２２  ネジヤマ部材
２３  底台
２３１  凸ブロック
２３２  固定部材
２４  軸管
２４１  蓋体
２５  弾性部材
２６  弾性体
３  スクリュー
３１  ワッシャー
３２  ネジヤマ部
３３  歯部
４  受動ボルト
４１  定位部材
４２  噛み合い部材
４３  延伸セクション
４３１  嵌着部
５  ブラシバー
５１  組み接続部
５２  定位孔
５３  棒体
５３ａ  第一棒部
５３ｂ  第二棒部
５３１  貫通部
５３２  接触部
５３３  凸部材
５３４  連接部材
５３５  連接部
５３６  固定パーツ
５４  収容設置部
５５  槽孔
６  調整パーツ
６１  係止部材
６１１  定位槽
６２  弾性パーツ
６３  定位パーツ
６３１  側壁面
７  ブラシ毛
８  殼体
９  容器
【図１】
0003205402.tif 000003
【図２】
0003205402.tif 000004
【図３】
0003205402.tif 000005
【図４】
0003205402.tif 000006
【図５】
0003205402.tif 000007
【図６】
0003205402.tif 000008
【図７】
0003205402.tif 000009
【図８】
0003205402.tif 000010
【図９】
0003205402.tif 000011
【図１０】
0003205402.tif 000012
【図１１】
0003205402.tif 000013
【図１２】
0003205402.tif 000014
【図１３】
0003205402.tif 000015